(57)【要約】【課題】よりユーザの利便性を向上させることが出来る情報記録装置、及び情報記録方法を提供する。【解決手段】情報記録装置（１００）は、コンテンツが入力される入力手段（１１０）と、入力されるコンテンツをエンコードするエンコーダ（１４１）と、エンコードしたコンテンツを記録する記録手段（１６０）と、記録されるコンテンツに対してトランスコードを行う複数のトランスコーダ（１４３、１４５）と、を備える。情報記録装置は、入力されるコンテンツからＣＭとシーンチェンジとを検出し、検出したＣＭ検出点とシーンチェンジ検出点とに基づいて、分割点を検出する。情報記録装置は、検出する分割点に基づいて前記記録手段により記録したコンテンツを分割し、分割したコンテンツをそれぞれ異なる前記トランスコーダに出力する。【選択図】      図１
2011130293.tif 000002
【特許請求の範囲】
【請求項１】
コンテンツが入力される入力手段と、
前記入力手段により入力されるコンテンツをエンコードするエンコーダと、
前記エンコーダによりエンコードしたコンテンツを記録する記録手段と、
前記記録手段により記録されるコンテンツに対してトランスコードを行う複数のトランスコーダと、
前記入力手段により入力されるコンテンツからＣＭを検出するＣＭ検出手段と、
前記入力手段により入力されるコンテンツからシーンチェンジを検出するシーンチェンジ検出手段と、
前記ＣＭ検出手段により検出するＣＭ検出点と前記シーンチェンジ検出手段により検出するシーンチェンジ検出点とに基づいて、分割点を検出する分割点検出手段と、
前記分割点検出手段により検出する分割点に基づいて前記記録手段により記録したコンテンツを分割する分割手段と、
前記分割手段により分割したコンテンツをそれぞれ異なる前記トランスコーダに出力するデータ処理手段と、
を具備することを特徴とする情報記録装置。
【請求項２】
前記分割点検出手段は、前記記録手段により記録したコンテンツの中間点に最も近いＣＭ検出点を特定し、特定したＣＭ検出点がシーンチェンジ検出点と一致している場合、特定したＣＭ検出点を分割点として検出することを特徴とする請求項１に記載の情報記録装置。
【請求項３】
前記分割点検出手段は、前記記録手段により記録したコンテンツの中間点に最も近いＣＭ検出点を特定し、特定したＣＭ検出点がシーンチェンジ検出点と一致してない場合、特定したＣＭ検出点に最も近いシーンチェンジ検出点を分割点として検出することを特徴とする請求項１に記載の情報記録装置。
【請求項４】
前記分割点検出手段は、特定したＣＭ検出点より前側の最も近いシーンチェンジ検出点を分割点として検出することを特徴とする請求項３に記載の情報記録装置。
【請求項５】
前記分割点検出手段は、特定したＣＭ検出点より後側の最も近いシーンチェンジ検出点を分割点として検出することを特徴とする請求項３に記載の情報記録装置。
【請求項６】
前記分割点検出手段は、前記トランスコーダの数に応じて検出する分割点の数を決定することを特徴とする請求項１に記載の情報記録装置。
【請求項７】
コンテンツが入力される入力手段と、前記入力手段により入力されるコンテンツをエンコードするエンコーダと、前記エンコーダによりエンコードしたコンテンツを記録する記録手段と、前記記録手段により記録されるコンテンツに対してトランスコードを行う複数のトランスコーダと、を備える情報記録装置に用いられる情報記録方法であって、
前記入力手段により入力されるコンテンツからＣＭを検出し、
前記入力手段により入力されるコンテンツからシーンチェンジを検出し、
前記検出するＣＭ検出点と前記検出するシーンチェンジ検出点とに基づいて、分割点を検出し、
前記検出する分割点に基づいて前記記録手段により記録したコンテンツを分割し、
前記分割したコンテンツをそれぞれ異なる前記トランスコーダに出力する、
ことを特徴とする情報記録方法。
【発明の詳細な説明】
【技術分野】
【０００１】
本発明は、例えば、情報の記録を行う情報記録装置、及び情報記録方法に関する。
【背景技術】
【０００２】
映像、または音楽などのコンテンツ（プログラム）を圧縮したデータを、記録媒体に記録する情報記録再生装置（映像記録再生装置）が一般的に普及している。この情報記録再生装置は、記録媒体として、例えば、Ｈａｒｄ  Ｄｉｓｋ  Ｄｒｉｖｅ（ＨＤＤ）などの磁気ディスク、Ｓｏｌｉｄ  Ｓｔａｔｅ  Ｄｒｉｖｅ（ＳＳＤ）、またはＤｉｇｉｔａｌ  Ｖｅｒｓａｔｉｌｅ  Ｄｉｓｋ（ＤＶＤ）などの光ディスクを用いる。情報記録再生装置は、コンテンツをエンコードし、上記の記録媒体に記録する。また、情報記録再生装置は、記録媒体に記録されているコンテンツを再生する場合、記録媒体に記録されているコンテンツをデコードし、出力する。
【０００３】
近年、情報の通信速度の高速化に伴い、コンテンツの大容量化が進んでいる。また、多数のコンテンツを記録媒体に記録するために、ビットレート及び解像度を変換することができる情報記録再生装置が普及している。
【０００４】
この情報記録再生装置は、再エンコード、またはトランスコードにより、コンテンツのビットレート及び解像度を変換する。再エンコードを行う場合、情報記録再生装置は、記録媒体に記録されているコンテンツをデコードする。情報記録再生装置は、エンコードした、ユーザが所望するビットレート及び解像度でエンコードする。
【０００５】
また、情報記録再生装置がトランスコード機能（トランスコーダ）を備える場合、情報記録再生装置は、記録媒体に記録されているコンテンツをデコードせずに、ビットレート及び解像度の変換を行う事ができる。
【０００６】
例えば、特許文献１には、上記のエンコーダ又はトランスコーダを複数備える映像符号化装置が記載されている。この映像符号化装置は、コンテンツ中のシーンチェンジ点を検出し、検出したシーンチェンジ点の前後でコンテンツを分割し、分割したコンテンツをそれぞれ異なる符号化処理部に入力する。これにより、再エンコードまたはトランスコードに要する時間を短縮することができる。
【先行技術文献】
【特許文献】
【０００７】
【特許文献１】特開２００２−１９９３９２号公報
【発明の概要】
【発明が解決しようとする課題】
【０００８】
しかし、コンテンツ中には、シーンチェンジ点が多数存在する。この為、上記の映像符号化装置は、コンテンツを多数のシーンに分割する。この結果、符号化処理を複数の符号化処理部により並列に行う為に、映像符号化装置は、多数の符号化処理部を備える必要があるという問題がある。
【０００９】
また、例えば、コンテンツ内のＣＭを検出し、ＣＭの前後でコンテンツを分割する情報記録再生装置が普及している。しかし、ＣＭの前と後とで同じシーンが続いている場合、再結合されたコンテンツの結合点がシームレスにならない可能性があるという問題がある。
【００１０】
そこで、本発明の一形態における目的は、上記した問題点を解決するものであり、よりユーザの利便性を向上させることが出来る情報記録装置、及び情報記録方法を提供することにある。
【課題を解決するための手段】
【００１１】
本発明の一実施形態としての情報記録装置は、コンテンツが入力される入力手段と、前記入力手段により入力されるコンテンツをエンコードするエンコーダと、前記エンコーダによりエンコードしたコンテンツを記録する記録手段と、前記記録手段により記録されるコンテンツに対してトランスコードを行う複数のトランスコーダと、前記入力手段により入力されるコンテンツからＣＭを検出するＣＭ検出手段と、前記入力手段により入力されるコンテンツからシーンチェンジを検出するシーンチェンジ検出手段と、前記ＣＭ検出手段により検出するＣＭ検出点と前記シーンチェンジ検出手段により検出するシーンチェンジ検出点とに基づいて、分割点を検出する分割点検出手段と、前記分割点検出手段により検出する分割点に基づいて前記記録手段により記録したコンテンツを分割する分割手段と、前記分割手段により分割したコンテンツをそれぞれ異なる前記トランスコーダに出力するデータ処理手段と、を具備する。
【００１２】
また、本発明の一実施形態としての情報記録方法は、コンテンツが入力される入力手段と、前記入力手段により入力されるコンテンツをエンコードするエンコーダと、前記エンコーダによりエンコードしたコンテンツを記録する記録手段と、前記記録手段により記録されるコンテンツに対してトランスコードを行う複数のトランスコーダと、を備える情報記録装置に用いられる情報記録方法であって、前記入力手段により入力されるコンテンツからＣＭを検出し、前記入力手段により入力されるコンテンツからシーンチェンジを検出し、前記検出するＣＭ検出点と前記検出するシーンチェンジ検出点とに基づいて、分割点を検出し、前記検出する分割点に基づいて前記記録手段により記録したコンテンツを分割し、前記分割したコンテンツをそれぞれ異なる前記トランスコーダに出力する。
【発明の効果】
【００１３】
この発明の一形態によれば、よりユーザの利便性を向上させることが出来る情報記録装置、及び情報記録方法を提供することができる。
【図面の簡単な説明】
【００１４】
【図１】図１は、本発明の一実施形態に係る映像記録再生装置の構成例を説明するためのブロック図である。
【図２】図２は、図１に示す映像記録再生装置の制御部の機能を説明するための説明図である。
【図３】図３は、図１に示す映像記録再生装置により受信するコンテンツについて説明する為の説明図である。
【図４】図４は、図１に示す映像記録再生装置におけるコンテンツの分割処理について説明する為の説明図である。
【図５】図５は、図１に示す映像記録再生装置におけるコンテンツの分割処理について説明する為の説明図である。
【図６】図６は、図１に示す映像記録再生装置におけるコンテンツの分割処理について説明する為の説明図である。
【図７】図７は、図１に示す映像記録再生装置におけるコンテンツの分割処理について説明する為のフローチャートである。
【発明を実施するための形態】
【００１５】
以下、図を参照しながら、本発明の一実施形態に係る情報記録装置ついて詳細に説明する。なお、本実施形態では、情報記録装置として映像記録再生装置を例に挙げて説明する。本実施形態における映像記録再生装置は、所定の容量の記録媒体、例えばＨＤＤ、ＳＳＤ、またはＳＤカードなどの半導体メモリに、映像または音楽などのコンテンツを記録する装置である。映像記録再生装置は、地上アナログ放送、地上ディジタル放送、衛星ディジタル放送、及び有線放送などの配信業者から供給される番組などのコンテンツを受信し、ユーザにより設定される画質及び音質に基づいてコンテンツを記録する。
【００１６】
なお、上記の映像は、動画、静止画、及び、テキストを主体とする文字放送等を含む。また、映像記録再生装置は、コンテンツの記録を行う装置であれば如何なるものであっても本発明を適用することができる。また、映像記録再生装置の備える各手段は、ハードウエアで実現するものであってもよいし、ＣＰＵ（またはＭＰＵ）に代表されるマイクロコンピュータ等を用いて、ソフトウエアで実現するものであってもよい。
【００１７】
図１は、本発明の一実施形態に係る映像記録再生装置１００の構成例について説明するためのブロック図である。  
映像記録再生装置１００は、入力端子１１０、チューナ１２０、復調部１３０、信号処理部１４０、出力端子１５０、ＨＤＤ１６０、ＭＰＵ１７０、操作入力部１８０、及び通信インターフェース１９０を備える。ＭＰＵ１７０は、ＲＯＭ１７１及びＲＡＭ１７２を備える。
【００１８】
入力端子１１０は、コンテンツが入力される入力手段として機能する。入力端子１１０は、例えば、ディジタル放送信号などを受信し、チューナ１２０に供給する。チューナ１２０は、ディジタル放送信号用のチューナである。チューナ１２０は、入力端子１１０に入力されるディジタル放送信号のチューニングを行う。チューナ１２０は、チューニングしたディジタル放送信号を復調部１３０に送信する。復調部１３０は、受信するディジタル放送信号の復調を行う。復調部１３０は、復調したディジタル放送信号を信号処理部１４０に入力する。
【００１９】
信号処理部１４０は、信号処理手段として機能する。信号処理部１４０は、復調部１３０から受信するディジタル放送信号に、信号処理を施す。信号処理部１４０は、エンコーダ１４１、セレクタ１４２、第１のトランスコーダ１４３、セレクタ１４４、第２のトランスコーダ１４５、データ処理部１４６、及びデコーダ１４９を備える。
【００２０】
セレクタ１４２及びセレクタ１４４は、復調部１３０から供給されるディジタル放送信号を入力するトランスコーダ及びエンコーダを選択する。
【００２１】
エンコーダ１４１は、受信するディジタル放送信号に対して暗号化処理を行う。第１のトランスコーダ１４３、及び第２のトランスコーダ１４５は、受信するディジタル放送信号のビットレート及び解像度を変換する。
【００２２】
データ処理部１４６は、データ処理手段として機能する。データ処理部１４６は、エンコード及びトランスコードを施したデータに対して処理を行う。例えば、データ処理部１４６は、エンコード及びトランスコードを施したデータ
の結合及び分割を行う。この為に、データ処理部１４６は、結合処理部１４７及び分割処理部１４８を備える。結合処理部１４７は、ＭＰＵ１７０の制御に基づいて、受信する複数のデータの結合を行う。分割処理部１４８は、ＭＰＵ１７０の制御に基づいて、受信するデータを複数のデータに分割する。分割処理部１４８は、分割手段として機能する。
【００２３】
また、データ処理部１４６は、受信するデータの出力先をＭＰＵ１７０の制御に基づいて切り替える。例えば、データ処理部１４６は、エンコーダ１４１によりエンコードを施したデータをＨＤＤ１６０に出力する。
【００２４】
ＨＤＤ１６０は、コンテンツを記録することが出来る記録手段として機能する。ＨＤＤ１６０は、画像、音楽、または放送番組等のコンテンツのデータを格納する。データ処理部１４６は、データをＨＤＤ１６０に出力することにより、コンテンツをＨＤＤ１６０に記録する。
【００２５】
また、ＨＤＤ１６０は、ＭＰＵ１７０の要求に応じて格納しているコンテンツを出力する。この場合、データ処理部１４６は、ＨＤＤ１６０からエンコードが施されているコンテンツデータを取得し、デコーダ１４９に出力する。
【００２６】
デコーダ１４９は、エンコードされているデータに対してデコード処理を施すことにより、表示装置またはスピーカなどにより再生可能な信号に変換する。デコーダ１４９は、デコード処理を施した信号を、出力端子１５０から装置外部に出力する。例えば、出力端子１５０に表示装置またはスピーカなどの出力装置が接続される場合、コンテンツが再生される。
【００２７】
ＭＰＵ１７０は、映像記録再生装置１００の各部の動作を制御する。ＭＰＵ１７０は、ＣＰＵ等の演算素子を備えている。ＭＰＵ１７０は、操作入力部１８０から供給される操作信号に基づいて、種々の処理を行う。
【００２８】
ＲＯＭ１７１は、映像記録再生装置１００のシステム制御プログラム及び各種処理プログラムなどを記憶している。ＲＡＭ１７２は、ＣＰＵのワークメモリとして機能する。即ち、ＭＰＵ１７０は、操作入力部１８０から供給される操作信号に基づいて、ＲＯＭ１７１に記憶されているプログラムを起動し、各部の動作を制御する。
【００２９】
操作入力部１８０は、操作入力手段として機能する。操作入力部１８０は、例えば、操作キー、または、リモートコントローラからの操作信号を受信する受光部などにより構成される。操作入力部１８０は、ユーザからの操作入力に応じて操作信号を生成する。操作入力部１８０は、生成した操作信号をＭＰＵ１７０に供給する。
【００３０】
通信インターフェース１９０は、外部の機器、またはネットワークと接続するための通信手段である。通信インターフェース１９０は、通信端子１９１に接続される機器とＭＰＵ１７０との間で送受信される情報の受け渡しを行う。通信端子１９１は、例えば、ＬＡＮ端子、またはＵＳＢ端子などにより構成される。
【００３１】
また、上記したように本実施形態に係る映像記録再生装置１００は、２つのトランスコーダを備えている。この為、映像記録再生装置１００は、ＨＤＤ１６０に記録したコンテンツを２分割し、並列的にトランスコードを行うことができる。この為に、信号処理部１４０のデータ処理部１４６は、ＭＰＵ１７０により指示される分割点でコンテンツを第１のコンテンツと第２のコンテンツに分割する。
【００３２】
データ処理部１４６は、２分割したコンテンツのデータを、第１のトランスコーダ１４３及び第２のトランスコーダ１４５に入力する。すなわち、データ処理部１４６は、分割した第１のコンテンツを第１のトランスコーダ１４３に入力する。また、データ処理部１４６は、分割した第２のコンテンツを第２のトランスコーダ１４５に入力する。
【００３３】
第１のトランスコーダ１４３及び第２のトランスコーダ１４５は、それぞれ入力されたコンテンツに対してＭＰＵ１７０により制御される解像度及びビットレートでトランスコードを施す。第１のトランスコーダ１４３及び第２のトランスコーダ１４５は、トランスコードを施したコンテンツをデータ処理部１４６に出力する。データ処理部１４６の結合処理部１４７は、受信する第１および第２のコンテンツを結合し、ＨＤＤ１６０に出力する。
【００３４】
次に、コンテンツの分割点の決定方法について説明する。  
本実施形態に係る映像記録再生装置１００は、コンテンツの記録を行う場合、逐次ＣＭ及びシーンチェンジを検出する。さらに、映像記録再生装置１００は、検出したＣＭ及びシーンチェンジに基づいて分割点を決定する。
【００３５】
図２は、図１に示すＭＰＵ１７０が備える機能を説明する為のブロック図である。  
図２に示すように、ＭＰＵ１７０は、録画制御部１７３、シーンチェンジ検出部１７４、ＣＭ検出部１７５、検出点保持部１７６、及び分割点検出部１７７を備える。
【００３６】
録画制御部１７３は、コンテンツを記録媒体に記録する動作を統合的に制御する。シーンチェンジ検出部１７４は、録画制御部１７３により録画処理中のコンテンツにおけるシーンチェンジを検出する。シーンチェンジ検出部１７４は、シーンチェンジ検出手段として機能する。たとえば、シーンチェンジ検出部１７４は、コンテンツの映像データを時系列的に比較することにより、コンテンツ中のシーンチェンジを検出する。
【００３７】
ＣＭ検出部１７５は、録画制御部１７３により録画処理中のコンテンツにおけるＣＭを検出する。ＣＭ検出部１７５は、ＣＭ検出手段として機能する。たとえば、ＣＭ検出部１７５は、コンテンツ中の音声の時系列的な変化などを検出することにより、コンテンツ中のＣＭを検出する。
【００３８】
検出点保持部１７６は、シーンチェンジ検出部１７４により検出したシーンチェンジ検出点と、ＣＭ検出部１７５により検出したＣＭ検出点とを記録及び保持する。
【００３９】
分割点検出部１７７は、検出点保持部１７６に保持されている検出点に基づいて、コンテンツを分割する為の分割点を決定する。分割点検出部１７７は、分割点検出手段として機能する。
【００４０】
図３は、図１に示す映像記録再生装置１００によりＨＤＤ１６０に記録したコンテンツについて説明する為の説明図である。図３では、記録時間長がＴである記録コンテンツを記録する例について示している。
【００４１】
映像記録再生装置１００は、上記したように、入力端子に入力されるコンテンツに対してエンコードを施し、ＨＤＤ１６０に記録する。この場合、シーンチェンジ検出部１７４及びＣＭ検出部１７５は、逐次シーンチェンジとＣＭとを検出する。ＭＰＵ１７０は、検出したシーンチェンジ検出点及びＣＭ検出点を検出点保持部１７６に格納する。
【００４２】
即ち、コンテンツをＨＤＤ１６０に記録する場合、映像記録再生装置１００は、記録したコンテンツ（記録コンテンツ）と、各検出点（シーンチェンジ検出点及びＣＭ検出点）を保持する。
【００４３】
図４乃至図６は、図１に示す映像記録再生装置１００におけるコンテンツの分割点を決定するための処理について説明する為の説明図である。  
分割点を検出する場合、ＭＰＵ１７０の分割点検出部１７７は、まず記録コンテンツの中間のＣＭ検出点を特定する。例えば、分割点検出部１７７は、図４に示すように、まず記録コンテンツの時間的な中間点を特定する。記録コンテンツの記録時間長がＴである場合、分割点検出部１７７は、コンテンツの開始点からＴ／２経過した点を中間点として特定する。
【００４４】
分割点検出部１７７は、中間点から最も近いＣＭ検出点を特定する。即ち、分割点検出部１７７は、中間点と、その前後のＣＭ検出点との時間的な差を算出することにより、コンテンツの中間点に最も近いＣＭ検出点を特定する。
【００４５】
分割点検出部１７７は、特定したＣＭ検出点が、シーンチェンジ検出点と一致しているか否か判断する。即ち、分割点検出部１７７は、検出点保持部１７６を検索し、特定したＣＭ検出点と同じ時間にシーンチェンジ検出点が記録されているか否か判断する。
【００４６】
特定したＣＭ検出点が、シーンチェンジ検出点と一致している場合、分割点検出部１７７は、特定したＣＭ検出点を、分割点と決定する。即ち、この分割点は、記録コンテンツの中間点に最も近いシーンチェンジ検出点である。この為、この分割点でコンテンツを分割してトランスコードを行う場合、第１及び第２のトランスコーダによる処理時間の差が小さくなる。この結果、映像記録再生装置１００は、効率的にトランスコードを行う事ができる。
【００４７】
また、特定したＣＭ検出点が、シーンチェンジ検出点と一致しない場合、図５に示すように、分割点検出部１７７は、特定したＣＭ検出点に最も近いシーンチェンジ検出点を特定する。即ち、分割点検出部１７７は、特定したＣＭ検出点と、その前後のシーンチェンジ検出点との時間的な差を算出することにより、特定したＣＭ検出点に最も近いシーンチェンジ検出点を特定する。
【００４８】
分割点検出部１７７は、上記の処理により特定したシーンチェンジ検出点を、コンテンツを分割するための分割点として特定する。これにより、図６に示すように、特定した分割点の前後で分割される第１のコンテンツと、第２のコンテンツの時間長の差を小さくすることが出来る。
【００４９】
図７は、図１に示す映像記録再生装置１００におけるコンテンツの分割点を決定するための処理について説明する為の説明図である。  
まず映像記録再生装置１００は、上記したように、入力端子に入力されるコンテンツに対してエンコードを施し、コンテンツの記録を開始する（ステップＳ１１）。
【００５０】
ＣＭ検出部１７５は、コンテンツの記録中にコンテンツ内にＣＭが存在するか否か判断する（ステップＳ１２）。ＣＭ検出部１７５は、ＣＭを検出する場合（ステップＳ１２、ＹＥＳ）、ＣＭ検出点を検出点保持部１７６に記録する（ステップＳ１３）。
【００５１】
シーンチェンジ検出部１７４は、コンテンツの記録中にコンテンツ内にシーンチェンジを検出する（ステップＳ１４）。シーンチェンジ検出部１７４は、シーンチェンジを検出する場合（ステップＳ１４、ＹＥＳ）、シーンチェンジ検出点を検出点保持部１７６に記録する（ステップＳ１５）。
【００５２】
ＭＰＵ１７０は、コンテンツの記録が終了するか否か判断する（ステップＳ１６）。コンテンツの記録が継続している場合（ステップＳ１６、ＮＯ）、ＭＰＵ１７０は、ステップＳ１２にループし、ＣＭ検出及びシーンチェンジ検出を継続する。
【００５３】
コンテンツの記録を終了する場合（ステップＳ１６、ＹＥＳ）、ＭＰＵ１７０は、トランスコードを並列して行う為に、記録したコンテンツの分割を行う。この為に、ＭＰＵ１７０は、分割点を特定する。
【００５４】
ＭＰＵ１７０の分割点検出部１７７は、まずＣＭ検出点を特定する（ステップＳ１７）。例えば、分割点検出部１７７は、まず記録コンテンツの時間的な中間点を特定し、中間点から最も近いＣＭ検出点を特定する。
【００５５】
分割点検出部１７７は、特定したＣＭ検出点が、シーンチェンジ検出点と一致しているか否か判断する（ステップＳ１８）。即ち、分割点検出部１７７は、検出点保持部１７６を検索し、特定したＣＭ検出点と同じ時間にシーンチェンジ検出点が記録されているか否か判断する。
【００５６】
特定したＣＭ検出点が、シーンチェンジ検出点と一致している場合（ステップＳ１８、ＹＥＳ）、分割点検出部１７７は、特定したＣＭ検出点を、分割点と特定する（ステップＳ１９）。
【００５７】
また、特定したＣＭ検出点が、シーンチェンジ検出点と一致しない場合（ステップＳ１８、ＮＯ）、分割点検出部１７７は、特定したＣＭ検出点に最も近いシーンチェンジ検出点を特定する（ステップＳ２０）。分割点検出部１７７は、特定したシーンチェンジ検出点を、コンテンツを分割するための分割点として特定する。
【００５８】
ＭＰＵ１７０は、上記の処理により特定した分割点を示す情報を信号処理部１４０のデータ処理部１４６に送信する。データ処理部１４６の分割処理部１４８は、ＭＰＵ１７０から送信される分割点を示す情報に基づいてＨＤＤ１６０に記録されているコンテンツを分割する位置を特定する。
【００５９】
分割処理部１４８は、ＭＰＵ１７０により指示される分割点に基づいて、ＨＤＤ１６０に記録したコンテンツを第１のコンテンツと第２のコンテンツとに分割する。データ処理部１４６は、分割した第１のコンテンツを第１のトランスコーダ１４３に入力する。また、データ処理部１４６は、分割した第２のコンテンツを第２のトランスコーダ１４５に入力する。
【００６０】
第１のトランスコーダ１４３及び第２のトランスコーダ１４５は、それぞれ入力されたコンテンツに対してＭＰＵ１７０により制御される解像度及びビットレートでトランスコードを施す。第１のトランスコーダ１４３及び第２のトランスコーダ１４５は、トランスコードを施したコンテンツをデータ処理部１４６に出力する。データ処理部１４６の結合処理部１４７は、受信する第１および第２のコンテンツを結合し、ＨＤＤ１６０に出力する。
【００６１】
上記したように、本実施形態に係る映像記録再生装置１００は、記録コンテンツの中間点近くのＣＭ検出点を特定し、特定したＣＭ検出点に近いシーンチェンジ検出点を分割点として特定する。これにより、分割後の第１のコンテンツと、第２のコンテンツとの長さの差を短くすることができる。この結果、映像記録再生装置１００は、より効率的にトランスコード、再エンコードを実行することが出来る。
【００６２】
さらに、本実施形態では、映像記録再生装置１００は、シーンチェンジ検出点を分割点として特定するように構成されている。この為、映像記録再生装置１００は、コンテンツ内のシーンのシームレス化を実現することが出来る。
【００６３】
この結果、よりユーザの利便性を向上させることが出来る情報記録装置、及び情報記録方法を提供することができる。
【００６４】
なお、本実施形態では、ＭＰＵ１７０は、コンテンツの分割処理を行った後に検出点保持部１７６の記録内容を消去する。これにより、映像記録再生装置１００は、不要な情報を残すことなく、分割点を示す情報を残すことが出来る。
【００６５】
また、上記した実施形態では、映像記録再生装置１００は、トランスコーダを２つ備える構成として説明したが、この構成に限定されない。映像記録再生装置１００が備えるトランスコーダの数は、少なくとも２つ以上であれば如何なる数であっても本発明を適用することが出来る。
【００６６】
例えば、映像記録再生装置１００が４つのトランスコーダを備える場合、ＭＰＵ１７０の分割点検出部１７７は、３つの分割点を検出する。この場合、分割点検出部１７７は、長さＴの記録コンテンツのＴ／４、Ｔ／２、３Ｔ／４の位置に近いＣＭ検出点を特定し、各ＣＭ検出点に最も近いシーンチェンジ検出点をそれぞれ分割点として特定する。即ち、分割点検出部１７７は、映像記録再生装置１００が備えるトランスコーダの数に応じて検出する分割点の数を決定する。
【００６７】
分割処理部１４８は、特定された分割点でコンテンツを第１乃至第４のコンテンツに分割する。データ処理部１４６は、分割した各コンテンツをそれぞれ異なるトランスコーダに入力する。これにより、映像記録再生装置１００は、並列的にトランコードを実行することができる。
【００６８】
さらに、映像記録再生装置１００を通信インターフェース１９０を介して複数台接続することにより、他の映像記録再生装置１００のトランスコーダを使用する構成であってもよい。例えば、トランスコーダを２つ備える映像記録再生装置１００を２台接続する場合、映像記録再生装置１００が４つのトランスコーダを備える構成であると想定して分割処理を行うことができる。即ち、この場合、複数台の映像記録再生装置１００によりトランスコードを分担して行うことにより、処理の高速化を実現することが出来る。
【００６９】
また、上記した実施形態では、映像記録再生装置１００は、記録コンテンツの中間点に近いＣＭ検出点を特定し、特定したＣＭ検出点に最も近いシーンチェンジ検出点を分割点として特定するとして説明したが、この構成に限定されない。例えば、映像記録再生装置１００は、常に特定したＣＭ検出点の前側、または後ろ側から分割点を特定する構成であってもよい。
【００７０】
ＣＭ検出点の前側から分割点を特定する場合、映像記録再生装置１００は、特定したＣＭ検出点より前に位置し、最も近いシーンチェンジ検出点を分割点として特定する。また、ＣＭ検出点の後側から分割点を特定する場合、映像記録再生装置１００は、特定したＣＭ検出点より後に位置し、最も近いシーンチェンジ検出点を分割点として特定する。
【００７１】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【符号の説明】
【００７２】
１００…映像記録再生装置、１１０…入力端子、１２０…チューナ、１３０…復調部、１４０…信号処理部、１４１…エンコーダ、１４２…セレクタ、１４３…第１のトランスコーダ、１４４…セレクタ、１４５…第２のトランスコーダ、１４６…データ処理部、１４７…結合処理部、１４８…分割処理部、１４９…デコーダ、１５０…出力端子、１６０…ＨＤＤ、１７０…ＭＰＵ、１７１…ＲＯＭ、１７２…ＲＡＭ、１７３…録画制御部、１７４…シーンチェンジ検出部、１７５…ＣＭ検出部、１７６…検出点保持部、１７７…分割点検出部、１８０…操作入力部、１９０…通信インターフェース、１９１…通信端子。
【図１】
2011130293.tif 000003
【図２】
2011130293.tif 000004
【図３】
2011130293.tif 000005
【図４】
2011130293.tif 000006
【図５】
2011130293.tif 000007
【図６】
2011130293.tif 000008
【図７】
2011130293.tif 000009